(57)【要約】【課題】被切断物としてのシートを複数重ねることで、部分模様が組み合わさった全体模様を表す所望の装飾物を容易に作製することができる切断データ作成方法、切断データ作成装置、切断装置、及びコンピュータ読取り可能な記録媒体を提供する。【解決手段】切断データ作成装置は、順番決定手段、輪郭線設定手段、及び切断データ作成手段を備える。順番決定手段は、複数のシートに対応する複数のレイヤを重ねる順番を決定する。輪郭線設定手段は、部分模様の輪郭線を、順番決定手段で順番が決定されたレイヤ毎に設定する。切断データ作成手段は、輪郭線設定手段によりレイヤ毎に設定された部分模様の輪郭線に基づいて、複数のシートに対応する切断データを作成する。【選択図】図３
2016068175.tif 000002
【特許請求の範囲】
【請求項１】
異なる形状の部分模様の輪郭線に沿って切断した複数のシートを重ねることで、前記部分模様が組み合わさった全体模様を表す装飾物を作製するための、切断データを作成する切断データ作成方法であって、
前記複数のシートを重ねる順番を決定する順番決定工程と、
前記部分模様の輪郭線を、前記順番決定工程で順番が決定された前記シート毎に設定する輪郭線設定工程と、
前記輪郭線設定工程により前記シート毎に設定された前記部分模様の輪郭線に基づいて、切断データを作成する切断データ作成工程と、
を備えることを特徴とする切断データ作成方法。
【請求項２】
前記複数のシートを重ねたときに最も前側となるシートに対して、前記部分模様が後方へ凹となり前記全体模様を凹状とする第１モードと、
前記複数のシートを重ねたときに最も後側となるシートに対して、前記部分模様が前方へ凸となり前記全体模様を凸状とする第２モードと、の一方を選択する選択工程を備えることを特徴とする請求項１記載の切断データ作成方法。
【請求項３】
前記輪郭線設定工程は、
前記選択工程で第１モードが選択されたときには、凹状の前記全体模様で表すための所定の第１条件に基づいて、前記シート毎に前記部分模様の輪郭線を設定し、
前記選択工程で第２モードが選択されたときには、凸状の前記全体模様で表すための所定の第２条件に基づいて、前記シート毎の前記部分模様の輪郭線を設定することを特徴とする請求項２記載の切断データ作成方法。
【請求項４】
前記複数のシートは、基台シート、第１シート、及び第２シートを含み、
前記順番決定工程は、前記基台シートの前側に前記第１シートを重ね、且つ前記第１シートの前側に前記第２シートを重ねるように順番を決定し、
前記部分模様は、第１部分模様及び第２部分模様を含み、
前記第１条件は、
前記第１シートに前記第１部分模様又は前記第２部分模様の輪郭線を設定し、
前記第２シートに前記第１部分模様及び前記第２部分模様の両方の輪郭線を設定する条件を含むことを特徴とする請求項３記載の切断データ作成方法。
【請求項５】
前記複数のシートに対して、前記シート毎に前記全体模様を包含する同じ形状の枠線を設定する枠線設定行程を備え、
前記切断データ作成工程において、前記シート毎に設定された前記枠線を切断する切断データを更に作成することを特徴とする請求項４記載の切断データ作成方法。
【請求項６】
前記シート毎に、当該シートの向きを特定可能な合印を設定する合印設定工程を備え、
前記切断データ作成工程において、前記シート毎に設定された前記合印を切断する切断データを更に作成することを特徴とすることを特徴とする請求項４又は５記載の切断データ作成方法。
【請求項７】
前記複数のシートは、基台シート、第１シート、及び第２シートを含み、
前記順番決定工程は、前記基台シートの前側に前記第１シートを重ね、且つ前記第１シートの前側に前記第２シートを重ねるように順番を決定し、
前記部分模様は、第１部分模様及び第２部分模様を含み、
前記第２条件は、
前記第１シートに前記第１部分模様及び前記第２部分模様の少なくとも一方の輪郭線を設定し、
前記第２シートに前記第１部分模様又は前記第２部分模様の輪郭線を設定する条件を含むことを特徴とする請求項３記載の切断データ作成方法。
【請求項８】
前記輪郭線設定工程において、前記基台シートに前記第１部分模様及び前記第２部分模様の少なくとも一方の輪郭線を設定し、
前記切断データ作成工程において、
前記輪郭線設定工程で設定された前記基台シートの前記第１部分模様及び前記第２部分模様の少なくとも一方の輪郭線について、少なくともその一部を切断する切断線又はミシン目状の切断線となる切断データを作成することを特徴とする請求項７記載の切断データ作成方法。
【請求項９】
前記切断データ作成工程において、
前記輪郭線設定工程で設定された前記第１シートの前記第１部分模様及び前記第２部分模様が相互に隣り合う場合、前記第１部分模様及び前記第２部分模様の境界線について、少なくともその一部を切断する切断線又はミシン目状の切断線となる切断データを作成することを特徴とする請求項７又は８記載の切断データ作成方法。
【請求項１０】
異なる形状の部分模様の輪郭線に沿って切断した複数のシートを重ねることで、前記部分模様が組み合わさった全体模様を表す装飾物を作製するための、切断データを作成する切断データ作成装置であって、
前記複数のシートに対応する複数のレイヤを重ねる順番を決定する順番決定手段と、
前記部分模様の輪郭線を、前記順番決定手段で順番が決定された前記レイヤ毎に設定する輪郭線設定手段と、
前記輪郭線設定手段により前記レイヤ毎に設定された前記部分模様の輪郭線に基づいて、前記複数のシートに対応する切断データを作成する切断データ作成手段と、
を備えることを特徴とする切断データ作成装置。
【請求項１１】
前記複数のレイヤを重ねたときに最も前側となるレイヤに対して、前記部分模様の内方を後側のレイヤで表して前記全体模様を凹状とする第１モードと、
前記複数のレイヤを重ねたときに最も後側となるレイヤに対して、前記部分模様を前側のレイヤで表して前記全体模様を凸状とする第２モードと、の一方の選択指令が入力される入力手段を備えることを特徴とする請求項１０記載の切断データ作成装置。
【請求項１２】
前記輪郭線設定手段は、
前記入力手段により前記第１モードの選択指令が入力されたときには、凹状の前記全体模様で表すための所定の第１条件に基づいて、前記レイヤ毎に前記部分模様の輪郭線を設定し、
前記入力手段により前記第２モードの選択指令が入力されたときには、凸状の前記全体模様で表すための所定の第２条件に基づいて、前記レイヤ毎の前記部分模様の輪郭線を設定することを特徴とする請求項１１項記載の切断データ作成装置。
【請求項１３】
前記複数のレイヤは、基台レイヤ、第１レイヤ、及び第２レイヤを含み、
前記順番決定手段は、前記基台レイヤの前側に前記第１レイヤを重ね、且つ前記第１レイヤの前側に前記第２レイヤを重ねるように順番を決定し、
前記部分模様は、第１部分模様及び第２部分模様を含み、
前記第１条件は、
前記第１レイヤに前記第１部分模様又は前記第２部分模様の輪郭線を設定し、
前記第２レイヤに前記第１部分模様及び前記第２部分模様の両方の輪郭線を設定する条件を含むことを特徴とする請求項１２項記載の切断データ作成装置。
【請求項１４】
前記複数のレイヤに対して、前記レイヤ毎に前記全体模様を包含する同じ形状の枠線を設定する枠線設定手段を備え、
前記切断データ作成手段は、前記レイヤ毎に設定された前記枠線について、前記複数のシートのそれぞれに対応する切断データを更に作成することを特徴とする請求項１３記載の切断データ作成装置。
【請求項１５】
前記レイヤ毎に、対応するシートの向きを特定可能にするための合印を設定する合印設定手段を備え、
前記切断データ作成手段は、前記レイヤ毎に設定された前記合印について、前記複数のシートのそれぞれに対応する切断データを更に作成することを特徴とする請求項１３又は１４記載の切断データ作成装置。
【請求項１６】
前記複数のレイヤは、基台レイヤ、第１レイヤ、及び第２レイヤを含み、
前記順番決定手段は、前記基台レイヤの前側に前記第１レイヤを重ね、且つ前記第１レイヤの前側に前記第２レイヤを重ねるように順番を決定し、
前記部分模様は、第１部分模様及び第２部分模様を含み、
前記第２条件は、
前記第１レイヤに前記第１部分模様及び前記第２部分模様の少なくとも一方の輪郭線を設定し、
前記第２レイヤに前記第１部分模様又は前記第２部分模様の輪郭線を設定する条件を含むことを特徴とする請求項１２記載の切断データ作成装置。
【請求項１７】
前記輪郭線設定手段は、前記基台レイヤに前記第１部分模様及び前記第２部分模様の少なくとも一方についての輪郭線を設定し、
前記切断データ作成手段は、
前記輪郭線設定手段により設定された前記基台レイヤの前記第１部分模様及び前記第２部分模様の少なくとも一方の輪郭線について、少なくともその一部を切断する切断線又はミシン目状の切断線となる切断データを作成することを特徴とする請求項１６記載の切断データ作成装置。
【請求項１８】
前記切断データ作成手段は、
前記輪郭線設定手段により設定された前記第１レイヤの前記第１部分模様及び前記第２部分模様が相互に隣り合う場合、前記第１部分模様及び前記第２部分模様の境界線について、少なくともその一部を切断する切断線又はミシン目状の切断線となる切断データを作成することを特徴とする請求項１６又は１７記載の切断データ作成装置。
【請求項１９】
シートを切断する切断手段を備えた切断装置において、
異なる形状の部分模様の輪郭線に沿って切断した複数の前記シートを重ねることで、前記部分模様が組み合わさった全体模様を表す装飾物の作製するための切断データであって、
前記複数のシートを重ねたときに最も前側となるシートに対して、前記部分模様が後方へ凹となり前記全体模様を凹状とする装飾物のシートを切断するための第１切断データと、
前記複数のシートを重ねたときに最も後側となるシートに対して前記部分模様が前方へ凸となり前記全体模様を凸状とする装飾物のシートを切断するための第２切断データと、
を含む切断データを取得する取得手段と、
前記取得手段で取得された前記切断データのうち、前記第１切断データと前記第２切断データの一方の切断データを選択する選択指令が入力される入力手段と、
前記入力手段により入力された前記一方の切断データに基づいて、前記シート毎に前記部分模様の輪郭線に沿って切断を行うように前記切断手段を制御する制御手段と、
を備えたことを特徴とする切断装置。
【請求項２０】
請求項１０から１８の何れか一項記載の切断データ作成装置、又は請求項１９に記載の切断装置の各種処理手段としてコンピュータを機能させるためのプログラムを記録したコンピュータ読取り可能な記録媒体。
【発明の詳細な説明】
【技術分野】
【０００１】
本発明は、複数のシートを重ねてなる装飾物について各シートを切断する切断データに係る切断データ作成方法、切断データ作成装置、切断装置、及びコンピュータ読取り可能な記録媒体に関する。
【背景技術】
【０００２】
従来より、被切断物である紙等のシートを、自動的に切断する切断装置が知られている。
例えば特許文献１に記載の切断装置では、ディスプレイを備えている。ユーザは、ディスプレイに表示される複数の模様の中から、所望の模様を選択する。前記シートは、表面に粘着層を有する保持部材に貼り付けられる。そして、切断装置は、保持部材の両端部分を駆動機構の駆動ローラ及びピンチローラで上下方向から挟んで第１方向へ移動させると共に、カッタを有するキャリッジを前記第１方向と直交する第２方向へ移動させる。この動作により、前記シートは、選択した模様の輪郭に沿って切断される。
【先行技術文献】
【特許文献】
【０００３】
【特許文献１】特開２０１２−２０６２３７号公報
【発明の概要】
【発明が解決しようとする課題】
【０００４】
ところで、複数のシートを重ねてなる装飾物を作製するには、まず、基台となるシート（基台シート）に、別のシートから切り抜いた部分模様を重ねて貼り付ける。そして、更に別のシートから切り抜いた異なる形状の部分模様を、その上から重ねて貼り付ける。こうして、部分模様が組み合わさった凸状の全体模様を表す装飾物を作製することができる。
しかし、従来の切断装置では、１枚のシートから所望の模様を切断することはできたが、上記のような装飾物を作製することには対応していなかった。従って、前記装飾物を作製するには、ユーザは、例えばハサミ等を用いて手作業により部分模様をシートから切り抜くことが必要であり、切断装置を用いることはなかった。即ち、ユーザは、全体模様をイメージしながら、各シートから切り抜く部分模様のそれぞれの形状や大きさ、配置を決めつつ装飾物を作製するしかなかった。
【０００５】
本発明は上記事情に鑑みてなされたものであり、その目的は、被切断物としてのシートを複数重ねることで、部分模様が組み合わさった全体模様を表す所望の装飾物を容易に作製することができる切断データ作成方法、切断データ作成装置、切断装置、及びコンピュータ読取り可能な記録媒体を提供することである。
【課題を解決するための手段】
【０００６】
上記した目的を達成するために、本発明の請求項１の切断データ作成方法は、異なる形状の部分模様の輪郭線に沿って切断した複数のシートを重ねることで、前記部分模様が組み合わさった全体模様を表す装飾物を作製するための、切断データを作成する方法であって、前記複数のシートを重ねる順番を決定する順番決定工程と、前記部分模様の輪郭線を、前記順番決定工程で順番が決定された前記シート毎に設定する輪郭線設定工程と、前記輪郭線設定工程により前記シート毎に設定された前記部分模様の輪郭線に基づいて、切断データを作成する切断データ作成工程と、を備えることを特徴とする。
【０００７】
本発明の請求項１０の切断データ作成装置は、異なる形状の部分模様の輪郭線に沿って切断した複数のシートを重ねることで、前記部分模様が組み合わさった全体模様を表す装飾物を作製するための、切断データを作成する装置であって、前記複数のシートに対応する複数のレイヤを重ねる順番を決定する順番決定手段と、前記部分模様の輪郭線を、前記順番決定手段で順番が決定された前記レイヤ毎に設定する輪郭線設定手段と、前記輪郭線設定手段により前記レイヤ毎に設定された前記部分模様の輪郭線に基づいて、前記複数のシートに対応する切断データを作成する切断データ作成手段と、を備えることを特徴とする。
【０００８】
本発明の請求項１９の切断装置は、シートを切断する切断手段を備えた装置であって、異なる形状の部分模様の輪郭線に沿って切断した複数の前記シートを重ねることで、前記部分模様が組み合わさった全体模様を表す装飾物の作製するための切断データであって、前記複数のシートを重ねたときに最も前側となるシートに対して、前記部分模様が後方へ凹となり前記全体模様を凹状とする装飾物のシートを切断するための第１切断データと、前記複数のシートを重ねたときに最も後側となるシートに対して前記部分模様が前方へ凸となり前記全体模様を凸状とする装飾物のシートを切断するための第２切断データと、を含む切断データを取得する取得手段と、前記取得手段で取得された前記切断データのうち、前記第１切断データと前記第２切断データの一方の切断データを選択する選択指令が入力される入力手段と、前記入力手段により入力された前記一方の切断データに基づいて、前記シート毎に前記部分模様の輪郭線に沿って切断を行うように前記切断手段を制御する制御手段と、を備えたことを特徴とする。
【０００９】
本発明の請求項２０のコンピュータ読取り可能な記録媒体は、請求項１０から１８の何れか一項記載の切断データ作成装置、又は請求項１９に記載の切断装置の各種処理手段としてコンピュータを機能させるためのプログラムを記録したものである。
【発明の効果】
【００１０】
請求項１の切断データ作成方法によれば、順番決定工程で複数のシートを重ねる順番が決定され、輪郭線設定工程で、前記順番が決定されたシート毎に、部分模様の輪郭線が設定される。これにより、複数のシートについて、重ねる順番に応じて設定された部分模様の輪郭線を切断する切断データを作成することができる。このため、作成した切断データに基づき複数のシートを切断し、それらのシートを重ねれば、複数の部分模様が組み合わさった全体模様を表す装飾物を作製することができる。
【００１１】
請求項１０の切断データ作成装置によれば、順番決定手段で複数のシートに対応する複数のレイヤを重ねる順番が決定され、輪郭線設定手段で、前記順番が決定されたレイヤ毎に、部分模様の輪郭線が設定される。これにより、複数のシートについて、対応するレイヤの重ねる順番に応じて設定された部分模様の輪郭線を切断する切断データを作成することができる。このため、作成した切断データに基づき複数のシートを切断し、それらのシートを重ねれば、複数の部分模様が組み合わさった全体模様を表す装飾物を作製することができる。
【００１２】
請求項１９の切断装置によれば、選択した切断データに基づいて制御手段により切断手段を制御することで、部分模様の輪郭線の切断を自動的に行うことができる。また、第１切断データを選択することで、全体模様が凹状となる装飾物のシートを容易に作製することができる。また、第２切断データを選択することで、全体模様が凸状となる装飾物のシートを容易に作製することができる。
【００１３】
請求項１３のコンピュータ読取り可能な記録媒体は、請求項１０から１８の何れか一項記載の切断データ作成装置、又は請求項１９に記載の切断装置の各種処理手段としてコンピュータを機能させるためのプログラムを記録したものである。よって、前記プログラムを読み取って実行するコンピュータは、上記した請求項１０から１８の何れか一項又は請求項１９に記載の発明と同様の効果を奏する。
【図面の簡単な説明】
【００１４】
【図１】第１実施形態について切断データ作成装置と切断装置を相互に接続して示す全体の斜視図
【図２】電気的構成を示すブロック図
【図３】（ａ）は全体模様を表す装飾物の正面図、（ｂ）及び（ｃ）は、第１モード及び第２モードで切断された複数のシートの説明図
【図４】（ａ）及び（ｂ）は、第１及び第２部分模様の切断データの説明図、（ｃ）及び（ｄ）は、第３部分模様及び境界線の切断データの説明図
【図５】（ａ）及び（ｂ）は、第１及び第２切断データの構造の説明図
【図６】部分模様の輪郭線とレイヤの対応を示す図
【図７】第１モードで生成されたレイヤの説明図であり、（ａ）は、図３（ａ）に対応する図、（ｂ）と（ｃ）は、複数のレイヤを上下に並べて示す図
【図８】第２モードで生成されたレイヤを示す図７相当図
【図９】切断データ作成プログラムの全体の処理の流れを示すフローチャート
【図１０】第１モードでの切断データ作成処理のフローチャート
【図１１】第２モードでの切断データ作成処理のフローチャート
【図１２】位置合せデータ抽出処理のフローチャート
【図１３】第２実施形態を示す図７相当図
【図１４】第２実施形態を示す図８相当図
【発明を実施するための形態】
【００１５】
＜第１実施形態＞
以下、本開示の第１実施形態について、図面を参照しながら説明する。図１は、切断データ作成装置１と、切断装置１１と、を示している。切断データ作成装置１と切断装置１１は、通信ケーブル１１１で相互に接続されている。
切断データ作成装置１は、例えば汎用のパーソナルコンピュータ（パソコン）で構成されている。即ち、切断データ作成装置１は、パソコン本体からなる作成装置本体部２と、例えばカラー液晶ディスプレイからなる表示部（以下、ディスプレイ３とする）と、キーボード４ａ及びマウス４ｂからなる入力部４と、を備えている。また、切断データ作成装置１は、カラー画像の読取り可能なイメージスキャナ１０（図２にのみ図示）を備えている。
【００１６】
図２に示すように、作成装置本体部２の制御回路５は、コンピュータ（ＣＰＵ）を主体に構成されており、ＲＯＭ６、ＲＡＭ７、ＥＥＰＲＯＭ８が接続されている。また、制御回路５には、前記キーボード４ａ及びマウス４ｂからなる入力部４、ディスプレイ３、イメージスキャナ１０、作成装置本体部２に着脱可能な外部記憶装置９が夫々接続される。ＥＥＰＲＯＭ８又は外部記憶装置９の内部記憶装置には、後述する切断データ作成プログラムが記憶されている。切断データ作成プログラムの実行時には、ディスプレイ３に、種々の模様や必要な情報が表示される。このとき、ユーザが、キーボード４ａ及びマウス４ｂを操作して必要な入力や指示を行なうことで、切断データ作成装置１は、切断データを作成する。
【００１７】
また、切断データ作成装置１は、通信部１１１ａを備えている。通信部１１１ａは、前記通信ケーブル１１１を介して、切断装置１１の通信部１１１ｂに接続されている。これにより、切断データ作成装置１と切断装置１１との間で、切断データを含むデータの送受信が可能である。なお、切断データ作成装置１の通信部１１１ａと、切断装置１１の通信部１１１ｂは、有線ではなく無線で接続される構成であってもよい。
【００１８】
切断装置１１は、切断データに基づいて切断対象となるシート２０を切断するものである。切断装置１１は、図１に示すように、筐体としての本体カバー１２と、本体カバー１２内に配設されたプラテン１３と、カッタカートリッジ１４が搭載されるキャリッジ１５と、シート２０を保持するための保持部材Ｈとを備えている。保持部材Ｈは矩形平板状に形成されており、その表面に粘着層Ｈｒ（図１の破線参照）を有する。また、保持部材Ｈは、粘着層Ｈｒに貼り付けられたシート２０を保持し、略水平なプラテン１３上に載置されるようにセットされる。
【００１９】
本体カバー１２は横長な矩形箱状をなしており、当該本体カバー１２における正面の開口部１２ａ側を切断装置１１の前側とする。以下の説明では、プラテン１３上において保持部材Ｈが移送される前後方向をＹ方向とし、Ｙ方向と直交する左右方向をＸ方向とする。また、プラテン１３と直交する上下方向をＺ方向とする。
【００２０】
本体カバー１２の右側上部には、ディスプレイ１６ａと、各種操作スイッチ１６ｂとが設けられている。ディスプレイ１６ａは、例えばカラー液晶ディスプレイからなり、ユーザに対して必要なメッセージ等の表示を行う。各種操作スイッチ１６ｂは、後述する第１切断データと第２切断データの選択や、指示等の操作を行う。
【００２１】
本体カバー１２内の機枠には、左右方向に延びる駆動ローラ１７及びピンチローラ１８が設けられている。駆動ローラ１７及びピンチローラ１８は、プラテン１３上にセットされた保持部材Ｈの両端部分を上下方向から挟む。本体カバー１２内には、Ｙ軸モータ２２（図２参照）とＹ軸移動機構（図示略）が設けられている。Ｙ軸移動機構は、Ｙ軸モータ２２の回転運動を駆動ローラ１７に伝達することで、保持部材Ｈをシート２０と共にＹ方向へ移動させる。
【００２２】
また、本体カバー１２内の機枠には、キャリッジ１５をＸ方向へガイドするＸ軸ガイドレール１９が設けられている。本体カバー１２内には、Ｘ軸モータ２１（図２参照）とＸ軸移動機構（図示略）が設けられている。Ｘ軸移動機構は、Ｘ軸モータ２１の回転により、キャリッジ１５をＸ軸ガイドレール１９に沿ってＸ方向へ移動させる。
【００２３】
キャリッジ１５の前側には、カートリッジホルダ１５ａが設けられている。カートリッジホルダ１５ａには、カッタカートリッジ１４が着脱可能に装着される。また、キャリッジ１５内には、Ｚ軸モータ２３（図２参照）とＺ軸移動機構（図示略）が設けられている。Ｚ軸移動機構は、Ｚ軸モータ２３の回転により、カートリッジホルダ１５ａをカッタカートリッジ１４と共にＺ方向へ移動させる。
【００２４】
詳しい図示は省略するが、Ｚ軸移動機構によりカートリッジホルダ１５ａが下方へ移動されると、カッタカートリッジ１４下端に設けられたカッタの刃先は、保持部材Ｈに保持されたシート２０に貫通する。この状態で、切断装置１１は、Ｙ軸モータ２２の駆動によりＹ軸移動機構を介して保持部材ＨをＹ方向へ移動させると共に、Ｘ軸モータ２１の駆動によりＸ軸移動機構を介してキャリッジ１５をＸ方向へ移動させることで、シート２０に対する切断動作を実行する。こうして、Ｘ軸移動機構、Ｙ軸移動機構、及びＺ軸移動機構、並びに対応するモータ２１，２２，２３は、カッタカートリッジ１４のカッタと保持部材Ｈに保持されたシート２０とを相対的に移動させる相対移動手段として機能する。また、相対移動手段は、カッタカートリッジ１４と共に切断手段を構成する。
【００２５】
なお、切断装置１１では、例えば図１に示す保持部材Ｈにおける粘着層Ｈｒの左角部を原点ＯとしたＸＹ座標系が設定され、そのＸＹ座標系に基づいて上記した保持部材Ｈとカッタカートリッジ１４との相対移動が行われる。また、切断装置１１では、カッタカートリッジ１４の他、印刷手段としてのペンカートリッジ（図示略）が用意されている。それ故、これらカートリッジをカートリッジホルダ１５ａに対して択一的に装着することで、シート２０に対する切断動作又は印刷動作の実行が可能である。なお、切断装置１１の詳細な構成については、本願出願人が出願した特開２０１４−１２４７４８号公報と同様の構成を採用することができ、その説明を省略する。
【００２６】
図２に示すように、切断装置１１の制御回路（制御手段）２５は、コンピュータ（ＣＰＵ）を主体に構成されており、ＲＯＭ２６、ＲＡＭ２７、通信部１１１ｂが夫々接続されている。ＲＯＭ２６には、切断動作（或いは印刷動作）を制御するための制御プログラム等が記憶されている。制御回路２５は、通信部１１１ｂ（通信ケーブル１１１）を介して、切断データ作成装置１で作成された切断データを取得する。
また、制御回路２５には、ディスプレイ１６ａ、各種操作スイッチ１６ｂが接続されると共に、Ｘ軸モータ２１、Ｙ軸モータ２２、Ｚ軸モータ２３を夫々駆動する駆動回路２８，２９，３０が接続されている。制御回路２５は、切断データに基づいて、Ｘ軸モータ２１、Ｙ軸モータ２２、Ｚ軸モータ２３等を制御し、保持部材Ｈに保持されたシート２０に対する切断動作を自動で実行させる。
【００２７】
さて、複数のシートを重ねることで作製される装飾物の一例を、図３（ａ）に示す。この装飾物は「花」を表しており、具体的には、「花」を凹状に表しているものが装飾物５１であり、「花」を凸状に表しているものが装飾物５２である。装飾物５１又は装飾物５２は、上記の切断装置１１で切断された複数のシート２０を重ねることで作製されたものである。ここで、図３（ｂ）は、「花」が凹状になっていることを示す為に、各シート２０（２０Ｒ、２０Ｇ、２０Ｙ）の位置をずらした状態で示している。図３（ｃ）は、「花」が凸状になっていることを示す為に、各シート２０（２０Ｒ、２０Ｇ、２０Ｙ）の位置をずらした状態で示している。
【００２８】
ここで、装飾物５１，５２が表す「花」は、「花びら」と「葉と茎」から構成される。そして、「花びら」を第１部分模様Ａとし、「葉と茎」を第２部分模様Ｂとし、第１，第２部分模様Ａ，Ｂを合成した模様を第３部分模様Ｃとする。また、第１〜第３部分模様Ａ〜Ｃが組み合わさった模様を、全体模様Ｍとする。また、最も後側のシート２０を基台シート２０とする（図３（ｂ）のシート２０Ｒ−０と同図（ｃ）のシート２０Ｙ−０参照）。そして、第１〜第３部分模様Ａ〜Ｃの何れかの輪郭線に沿って切断したシート２０を、基台シート２０の前側に夫々重ねる。これにより、第１〜第３部分模様Ａ〜Ｃが組み合わさった全体模様Ｍとして、図３（ａ）の「花」が表される。本実施形態では、シート２０として、「花びら」を表す赤色のシート２０Ｒ、「葉と茎」を表す緑色のシート２０Ｇ、及び「花」以外の部分である「周囲」を表す黄色のシート２０Ｙの３枚を用いる。
【００２９】
図３（ｂ）の装飾物５１は、赤色の基台シート２０Ｒの前側に、第１部分模様Ａを切り欠いた緑色のシート２０Ｇと、第３部分模様Ｃを切り欠いた黄色のシート２０Ｙとを順次重ねることにより、「花」の全体模様Ｍを凹状に表す。一方、図３（ｃ）の装飾物５２は、黄色の基台シート２０Ｙの前側に、第３部分模様Ｃの輪郭を外縁とする緑色のシート２０Ｇと、第１部分模様Ａの輪郭を外縁とする赤色のシート２０Ｒとを順次重ねることにより、「花」の全体模様Ｍを凸状に表す。また、装飾物５２では、図３（ｃ）に示すように、第３部分模様Ｃの位置合せのためのミシン目状の切断線５３がシート２０Ｙに形成され、第１部分模様Ａの位置合せのためのミシン目状の切断線５４がシート２０Ｇに形成される。ここで、ミシン目状の切断線５４は、詳しくは後述するが、第１部分模様Ａと第２部分模様Ｂの境界線上にある。
【００３０】
以下では、全体模様Ｍを凹状に表す装飾物５１を作製する為に、シート２０Ｒ〜２０Ｙを切断する切断データを第１切断データとする。また、全体模様Ｍを凸状に表す装飾物５２を作製する為に、シート２０Ｒ〜２０Ｙを切断する切断データを第２切断データとする。なお、装飾物５１，５２において、基台シートの前側に重ねるシートを第１シートと称し、その第１シートの前側に重ねるシートを第２シートと称する。また、本実施形態において、図３等におけるシート２０の末尾の符号「Ｒ」、「Ｇ」、「Ｙ」は、シート２０の色に対応しており、「Ｒ」は赤色、「Ｇ」は緑色、「Ｙ」は黄色であることを示す。また、図３等における符号「Ｇ〜Ｙ」の末尾の数字「−０」、「−１」、「−２」は、基台シート、第１シート、第２シートであることを示す。即ち、前記の数字は、シートを重ねる順番にそれぞれ対応する。更に、説明の便宜上、第１部分模様Ａ〜第３部分模様Ｃを、以後、単に「部分模様Ａ」〜「部分模様Ｃ」と称する。
【００３１】
前記第１切断データは、図５（ａ）に示すように、第１シート２０Ｇの部分模様Ａ及び第２シート２０Ｙの部分模様Ｃについて、順番データ（シート１，２）、フィードデータ、座標データ、停止コード及び終了コードと、図示しない表示用のデータとを含む。具体的には、同図（ａ）の「シート１」と「シート２」は、第１シート２０Ｇと第２シート２０Ｙとの重ねる順番を特定する順番データである。また、各シート２０Ｇ，２０Ｙを特定するデータとして例えば、「緑色」、「黄色」で表すように、各シートの色を順番データに対応付けて設定してもよい。
【００３２】
前記座標データは、複数の線分からなる切断線の頂点を夫々ＸＹ座標によって示した座標値のデータであって、切断装置１１のＸＹ座標系で規定されている。図４（ａ）の部分模様Ａの切断線は、１４個の線分Ａ１，Ａ２，…，Ａ１４を輪郭線として、「花びら」を表す図形である。部分模様Ａの切断線データは、切断開始点Ｐ０、頂点Ｐ１、頂点Ｐ２、…、切断終了点Ｐ１４の夫々に対応するフィードデータ（Ｆ１ｘ０，Ｆ１ｙ０）、第１座標データ（ｘ１，ｙ１）、第２座標データ（ｘ２，ｙ２）、…、第１４座標データ（ｘ１４，ｙ１４）を有する。フィードデータは、切断開始に際して切断装置１１の前記カッタを切断開始点Ｐ０へ移動させるデータである。つまり、フィードデータに基づいて、切断を伴わないフィード時におけるキャリッジ１５の切断開始点Ｐ０への移動と、カッタの上下動とが行われる。
【００３３】
図４（ｃ）の部分模様Ｃの切断ラインは、２２個の線分Ｃ１，Ｃ２，…，Ｃ２２からなり、相互に隣り合う部分模様Ａ，Ｂの両方を合成したときの輪郭線である。つまり、部分模様Ｃの切断線は、２つの部分模様Ａ，Ｂを、その外縁で繋げた図形である。部分模様Ｃの切断線データは、切断開始点Ｐ０、頂点Ｐ１、頂点Ｐ２、…、切断終了点Ｐ２２の夫々に対応するフィードデータ（Ｆ２ｘ０，Ｆ２ｙ０）、第１座標データ（ｘ１，ｙ１）、第２座標データ（ｘ２，ｙ２）、…、第２２座標データ（ｘ２２，ｙ２２）を有する。なお、図５（ａ）に示すように、部分模様Ａの座標データの末尾は「停止コード」とされ、第３部分模様Ｃの座標データの末尾は「終了コード」とされている。また、上記した第１切断データの順番データは、切断装置１１における第１シート２０Ｇと第２シートＹの切断順に対応する。
【００３４】
切断装置１１の制御回路２５は、第１切断データに基づいて、第１シート２０Ｇの部分模様Ａと第２シート２０Ｙの部分模様Ｃとを順次切断するように切断手段を制御する。即ち、先ずＸ軸移動機構及びＹ軸移動機構により、切断開始点Ｐ０のＸＹ座標へカッタカートリッジ１４（カッタ）を相対的に移動させる。次いで、Ｚ軸移動機構により前記カッタの刃先を第１シート２０Ｇの切断開始点Ｐ０に貫通させる。この状態で、Ｘ軸移動機構及びＹ軸移動機構により、当該刃先を、線分Ａ１の終点Ｐ１の座標へ向けて相対的に移動させ、線分Ａ１に沿って第１シート２０Ｇを切断する。続く線分Ａ２は、先の線分Ａ１の終点Ｐ１を始点として、線分Ａ１と同様の切断が連続的に実行される。こうして、線分Ａ２〜Ａ１４についても、カッタを相対移動させることで、部分模様Ａ、即ち「花びら」の輪郭線に沿って切断を行う。
【００３５】
制御回路２５は、部分模様Ａの切断線の切断を終えると、前記停止コードに基づき、前記カッタの刃先を第１シート２０Ｇから離間させた状態で、キャリッジ１５の待機位置である原点Ｏへ移動させる。この後、切断装置１１において、第１シート２０Ｇに代えて第２シート２０Ｙがセットされ、部分模様Ｃについても、その切断線データに基づいて切断される。そして、第３部分模様Ｃの切断線の切断を終えると、前記終了コードに基づき、カッタの刃先を第２シート２０Ｙから離間させて、前記待機位置へ移動させる。上記の切断動作により、各シート２０Ｇ、２０Ｙについて、それぞれの部分模様Ａ，Ｃの輪郭線の内方を不要部分として切り抜く切断線を形成することができる。
なお、第１切断データは、図５（ａ）の例に限らず、後述する枠線４１や合印４２の切断線データを含み、或いは順番「０」の基台シート２０Ｒに対する切断線データを含む構成とすることができる。
【００３６】
前記第２切断データは、図５（ｂ）に示すように第１切断データと同様、順番データ、フィードデータ、座標データ、停止コード、終了コード、表示用のデータを含むことから、第１切断データとの相違点について説明する。
【００３７】
先ず、第２切断データでは、基台シート２０Ｙに順番データ「０」が与えられている。また、第２切断データは、前述したミシン目状の切断線の属性フラグを含む。属性フラグは、部分模様を切断するときの通常の切断線と、部分模様の位置合せのためのミシン目状の切断線とを区別するために付されるデータである。なお、ミシン目状の切断線は、制御回路２５が、切断動作中に、カッタを間欠的に上下動させる制御を行うことで形成される。
【００３８】
順番データが「０」の切断線データには、部分模様Ｃの全ての線分Ｃ１〜Ｃ２２をミシン目状とする属性フラグ（図示略）が付されている。よって、順番データが「０」の基台シート２０Ｙでは、部分模様Ｃのミシン目状の切断線５３が形成される（図３（ｃ）参照）。
【００３９】
順番データが「１」の第１シート２０Ｇでは、部分模様Ｃの切断線に加えて、第２シート２０Ｒの部分模様Ａの位置合せのためのミシン目状の切断線５４を形成する。即ち、図４（ｄ）に示すように、第１シート２０Ｇの部分模様Ｃは、その「花びら」の部分模様Ａ及び「葉と茎」の部分模様Ｂの境界線Ｃ２３，Ｃ２４を、ミシン目状の切断線とする。それ故、第１シート２０Ｇの切断線データには、図５（ｂ）に示すように、部分模様Ｃの切断後に境界線Ｃ２３，Ｃ２４をミシン目状に切断するためのフィードデータ（Ｆ２ｘ２３，Ｆ２ｙ２３）と、第２４座標データ（ｘ２４，ｙ２４）及び第２５座標データ（ｘ２５，ｙ２５）を有する。なお、順番データが「２」の第２シート２０Ｒには、部分模様Ａの切断線データが設定されている。
【００４０】
切断装置１１の制御回路２５は、第２切断データに基づいて、基台シート２０Ｙ、第１シート２０Ｇ、第２シート２０Ｒに対して、順次切断動作を実行する。これにより第１シート２０Ｇ及び第２シート２０Ｒは、それぞれの部分模様Ａ，Ｃの外側を不要部分として切り抜く切断線を形成することができる。また、図３（ｃ）に示すように、基台シート２０Ｙに対して、ミシン目状の部分模様Ｃの切断線５３を形成し、第１シート２０Ｇに対して、境界線Ｃ２３，Ｃ２４にミシン目状の切断線５４を形成する。
【００４１】
上記した第１切断データ及び第２切断データは、図４（ｂ）の部分模様Ｂだけを切り抜く切断線データを含まないが、各シート２０Ｒ〜２０Ｙの重ねる順番等によっては、当該部分模様Ｂの切断線データを含ませることができる（図７（ｃ）、図８（ｃ）参照）。部分模様Ｂの切断線は、図４（ｂ）に示すように、１０個の線分Ｂ１，Ｂ２，…，Ｂ１０を輪郭線として、「葉と茎」を表す図形である。部分模様Ｂの切断線データについて図示は省略するが、部分模様Ｂの線分Ｂ１が部分模様Ｃの境界線Ｃ２４と一致し、線分Ｂ１０が境界線Ｃ２３と一致し（図４（ｄ）参照）、その余の線分Ｂ２〜９も部分模様Ｃの「葉と茎」の線分と一致する座標データを有する。つまり、部分模様Ａ及び部分模様Ｂの両方を組み合わせた図形と、部分模様Ｃの図形は、相互に合同（形状及び大きさが同じ）である。
【００４２】
次に、上記構成の作用について、図６〜図１２も参照しながら説明する。ここで、図９〜図１２のフローチャートは、切断データ作成装置１の制御回路５が実行する切断データ作成プログラムの流れを示している。
切断データ作成装置１において、制御回路５は、切断データ作成のプログラムを起動すると、図９に示す処理を実行する。先ず、制御回路５は、切断データの元とする図柄画像データを受け付ける（ステップＳ１）。具体的には、例えば、ユーザの入力操作に基づき、イメージスキャナ１０により「花」の図柄を描いた原画を読み取らせることで、制御回路５は、図柄画像データを取得する（ステップＳ２にてＹＥＳ）。前記原画に描画された図柄は、図３（ａ）の装飾物５１，５２を作製する為の「花」の図柄であって、「花びら」が赤色、「葉と茎」が緑色、「周囲」が黄色である図柄とする。
【００４３】
次いで、制御回路５は、図柄画像データから色情報を取得する処理を行う（ステップＳ３）。この処理では、図柄画像データに基づいて、「花びら」における画素の集合を赤色の単色領域、「葉と茎」における画素の集合を緑色の単色領域、「周囲」の色を黄色の単色領域として識別する。また、制御回路５は、識別した３色を後述するレイヤ５０Ｒ，５０Ｇ，５０Ｙ（図６参照）の色としてＲＡＭ７に記憶する。
また、制御回路５は、図柄画像データの加工処理を行う（ステップＳ４）。この加工処理では例えば、図柄画像データの画像のサイズが、対応するシート２０（粘着層Ｈｒ）のサイズに比して大きい場合、当該画像の外縁を、矩形状をなすシート２０の外縁と合わせるようにサイズ補正する。
【００４４】
そして、制御回路５は、マウス４ｂ等の入力部４からの選択指令に基づいて、第１モードと第２モードとの何れが選択されたかを判断する（ステップＳ５）。具体的には、制御回路５は、例えばディスプレイ３に、全体模様Ｍを凹状とする第１モードと、全体模様Ｍを凸状とする第２モードと、の何れかを選択するモード選択画面（図示略）を表示させる。ユーザがモード選択画面を見ながらマウス４ｂ等を操作して第１モードを選択すると（ステップＳ５にてＹＥＳ）、第１切断データ作成処理に移行する（図１０参照）。
【００４５】
第１切断データ作成処理において、制御回路５は、図柄画像データを周知の画像処理の手法で処理して、「花びら」、「葉と茎」、「周囲」の各輪郭線を抽出する（ステップＳ１１）。本実施形態において、輪郭線は、座標データを含むベクトルデータとして抽出される。また、この場合、制御回路５は、「花びら」について赤色の単色領域が輪郭線で囲われたパーツ、つまり赤色の部分模様Ａとして識別し、「葉と茎」について緑色の単色領域が輪郭線で囲われた部分模様Ｂとして識別する。また、各部分模様Ａ，Ｂ（全体模様Ｍ）を包含する「周囲」については、枠線４１つまりシート２０の周縁を切断するため輪郭線で囲われたパーツとして識別する。これにより、抽出した輪郭線と、各レイヤ５０Ｒ〜５０Ｙとの対応付けが可能となる。
【００４６】
次いで、制御回路５は、各部分模様Ａ，Ｂを包含する枠線４１の設定処理を行う（ステップＳ１２）。本実施形態では、「周囲」の輪郭線が４角形の枠線４１として設定されるものとする。なお、第２実施形態で述べるように、枠線４１は、４角形ではなく、６角形（図１３参照）等、任意の形状に設定してもよい。
【００４７】
そして、制御回路５は、前記ステップＳ３で取得した色数をレイヤ数（階層数Ｎ＝３）とする赤色、緑色、黄色の３つのレイヤ５０Ｒ，５０Ｇ，５０Ｙに順番を決定し、その順番をそれぞれのレイヤに付与する（ステップＳ１３）。レイヤ５０Ｒ〜５０Ｙの順番は、基台シートに対して前側に重ねるシートの順番に対応するもので、基台シートに対応する基台レイヤには順番「０」を、第１シートに対応する第１レイヤには順番「１」を、第２シートに対応する第２レイヤには順番「２」を付与する。この場合、制御回路５は、各部分模様Ａ，Ｂの輪郭線の包含関係を判別することにより、全体模様が凹状となるようにレイヤ５０Ｒ〜５０Ｙの順番を決定する。
【００４８】
即ち、制御回路５は、第１モードにおいて、一の部分模様内に包摂される他の部分模様があると判断した場合、当該他の部分模様の色を表すレイヤに小さい順番を付与し、外方で包摂する当該一の部分模様の色を表すレイヤに大きい順番を付与する。また、最も外側となる「周囲」のパーツの色を表すレイヤ５０Ｙには、最も大きい順番を付与する。本実施形態の部分模様Ａ，Ｂの輪郭線は、相互に包摂する関係にないことから、図７（ｂ），（ｃ）に示すように、レイヤ５０Ｒに「０」，レイヤ５０Ｇに「１」，レイヤ５０Ｙに「２」を付与する。或いは、レイヤ５０Ｇに「０」，レイヤ５０Ｒに「１」，レイヤ５０Ｙに「２」を付与する。
【００４９】
こうして、制御回路５は、レイヤ５０Ｒ〜５０Ｙにそれぞれ順番を決定すると共に、部分模様Ａ，Ｂの輪郭線を、当該部分模様の色を表すレイヤ５０Ｒ〜５０Ｙと対応付けて記憶する。以下では、レイヤ５０Ｒが基台レイヤ，レイヤ５０Ｇが第１レイヤ，レイヤ５０Ｙが第２レイヤに設定されると共に、部分模様Ａの輪郭線が基台レイヤ５０Ｒ、部分模様Ｂの輪郭線が第１レイヤ５０Ｇに対応するものとして説明する。
【００５０】
制御回路５は、決定された順番に応じてレイヤ５０Ｒ〜５０Ｙ毎に、切断線データを作成して割り当てる割当処理を行う。制御回路５は、先ずステップＳ１４で、レイヤ５０Ｒ〜５０Ｙの重ねる順番に対応するカウンタｉを０にリセット（ｉ＝０）して初期化し、最も後側の基台レイヤ５０Ｒから割当処理を行う。また、制御回路５は、OutlineをNullに設定する。Outlineは、部分模様の輪郭線のベクトルデータの集合を表す情報である。このように、カウンタｉが現時点で０であり（ステップＳ１５にてＹＥＳ）、OutlineもNullに設定された状態にあるため、順番が「０」の基台レイヤ５０Ｒについて、輪郭線に係る切断線データの作成は行われない（ステップＳ１６）。
【００５１】
一方、制御回路５は、前記ステップＳ１２で設定した枠線４１の各頂点Ｐ０〜Ｐ４の座標データに基づいて、頂点Ｐ０を切断開始点及び切断終了点Ｐ４とする切断線データを作成する（ステップＳ１７、図７（ｂ）参照）。作成された切断線データは、切断開始点Ｐ０、頂点Ｐ１、頂点Ｐ２、頂点Ｐ３、切断終了点Ｐ４の夫々に対応するフィードデータ、第１座標データ、第２座標データ、第３座標データ、第４座標データを有する。
【００５２】
また、制御回路５は、枠線４１の座標データに基づき、基台シート２０の向きを示す合印４２の座標データを設定する（ステップＳ１８）。合印４２は、例えば図７（ｂ）に示すように、紐等を通すことが可能な大きさの丸穴であり、基台レイヤ５０Ｒにおける左上隅部の座標位置に配置されるように予め設定されているとする。制御回路５は、配置後の合印４２の座標データに基づいて、合印４２を切り抜く切断線データを作成する（ステップＳ１９）。作成された切断線データは、合印４２の円周上における多数の点に対応する、フィードデータと多数の座標データを有する。
【００５３】
こうして、制御回路５は、基台レイヤ５０Ｒに対して作成した枠線４１及び合印４２の切断線データを、順番「０」と対応付けてＲＡＭ７に記憶する（ステップＳ２０）。また、制御回路５は、Outlineを、前記ステップＳ１３で基台レイヤ５０Ｒと対応付けた部分模様Ａの輪郭線のベクトルデータに設定する（ステップＳ２１）。その後、制御回路５は、カウンタｉを１だけインクリメントすることで（ステップＳ２２）、順番が「１」の第１レイヤ５０Ｇを対象として、前記ステップＳ１５〜Ｓ２２を実行する。
【００５４】
即ち、カウンタｉが１のとき（ステップＳ１５にてＹＥＳ）、制御回路５は、第１レイヤ５０Ｇについて、Outlineに設定された部分模様Ａの各頂点Ｐ０〜Ｐ１４の座標データに基づいて、頂点Ｐ０を切断開始点及び切断終了点Ｐ１４とする輪郭線の切断線データを作成する（図４（ａ）、図５（ａ）参照）。また、制御回路５は、第１レイヤ５０Ｇについて、基台レイヤ５０Ｒと同じ、枠線４１と合印４２の切断線データを作成する（ステップＳ１７、Ｓ１８）。こうして、制御回路５は、第１レイヤ５０Ｇに対して作成した部分模様Ａの輪郭線、枠線４１、及び合印４２の各切断線データを、順番「１」と対応付けてＲＡＭ７に記憶する（ステップＳ２０）。
【００５５】
また、制御回路５は、Outlineに設定されている部分模様Ａの輪郭線と、第１レイヤ５０Ｇと対応付けられた部分模様Ｂの輪郭線とを合成する（ステップＳ２１）。これにより、制御回路５は、Outlineを１つの部分模様Ｃの輪郭線を表すベクトルデータの集合として設定（更新）する。更に、制御回路５は、カウンタｉを１だけインクリメントすることで（ステップＳ２２）、順番が「２」の第２レイヤ５０Ｙを対象として、前記ステップＳ１５〜Ｓ２２を実行する。
【００５６】
この場合、カウンタｉが２であり（ステップＳ１５にてＹＥＳ）、制御回路５は、第２レイヤ５０Ｙについて、Outlineに設定されている部分模様Ｃの各頂点Ｐ０〜Ｐ２２の座標データに基づいて、頂点Ｐ０を切断開始点及び切断終了点Ｐ２２とする輪郭線の切断線データを作成する（図４（ｃ）、図５（ａ）参照）。また、制御回路５は、第２レイヤ５０Ｙについて、基台レイヤ５０Ｒと同じ、枠線４１と合印４２の切断線データを作成する（ステップＳ１７、Ｓ１８）。こうして、制御回路５は、第２レイヤ５０Ｙに対して作成した部分模様Ｃの輪郭線、枠線４１、及び合印４２の各切断線データを、順番「２」と対応付けてＲＡＭ７に記憶する（ステップＳ２０）。
【００５７】
この後のステップＳ２１では、第２レイヤ５０Ｙと対応付けられた部分模様の輪郭線が存在しないことから、Outlineの設定を更新しない。また、制御回路５は、カウンタｉを１だけインクリメントすると（ステップＳ２２）、ステップＳ１５にてカウンタｉの値「３」がレイヤ数Ｎに達したと判断する（ＮＯ）。この場合、制御回路５は、順番「０」〜「２」のレイヤ５０Ｒ〜５０Ｙに対応付けられた切断線データに、前述した終了コードや、表示用のデータ等を付加して、第１切断データの作成処理を終了する（エンド）。
【００５８】
前記ステップＳ１４〜Ｓ２２の実行により、第１レイヤ５０Ｇに部分模様Ａ（又は部分模様Ｂ）の輪郭線を設定し、第２レイヤ５０Ｙに部分模様Ａ及び部分模様Ｂの両方（部分模様Ｃ）の輪郭線を設定する条件は、全体模様Ｍを凹状に表すための第１条件とされている。従って、第１条件の下で作成した前記表示用のデータは、各レイヤ５０Ｒ〜５０Ｙを利用して、全体模様Ｍを凹状に表すことができる。即ち、図７（ｂ）に示すように、第１レイヤ５０Ｇについて部分模様Ａの輪郭内を切り欠いた緑色の画像レイヤ５０Ｇと、第２レイヤ５０Ｙについて部分模様Ｃの輪郭内を切り欠いた黄色の画像レイヤ５０Ｙとを生成する。そして、基台レイヤ５０Ｒとなる赤色の画像レイヤ５０Ｒの前側に緑色の画像レイヤ５０Ｇを重ね、その画像レイヤ５０Ｇの前側に黄色の画像レイヤ５０Ｙを重ねる（図７（ａ））。これにより、最も前側となる黄色の画像レイヤ５０Ｙに対して、部分模様Ｃの内方を後側の画像レイヤ５０Ｒ、５０Ｇの赤色と緑色で表して全体模様Ｍが凹状となる。
【００５９】
更に、切断データ作成装置１側で作成した第１切断データを、切断装置１１側で受信して、第１切断データに基づき切断動作を実行させることができる。この場合、切断装置１１において、第１切断データの「０」、「１」、「２」の順番データに従い、赤色のシート２０Ｒ、緑色のシート２０Ｇ、黄色のシート２０Ｙに対する切断を行うことができる。これにより、図３（ｂ）に示すように、その切断順に各シート２０Ｒ〜２０Ｙを、合印４２を目印として重ねれば、異なる形状の部分模様Ａ，Ｃが組み合わさった「花」の全体模様Ｍを凹状に表す装飾物５１を作製することができる。
【００６０】
続いて、前記第２モードを選択した場合（ステップＳ５にてＮＯ）における、第２切断データ作成処理について、図１１を参照しながら説明する。
第２切断データ作成処理では、第１切断データ作成処理と同様、図柄画像データから「花びら」、「葉と茎」、「周囲」の各輪郭線を抽出する（ステップＳ３１）。
【００６１】
また、制御回路５は、各部分模様Ａ，Ｂの輪郭線の包含関係を判別することにより、全体模様が凸状となるようにレイヤ５０Ｒ〜５０Ｙのそれぞれの順番を決定する（ステップＳ３２）。即ち、制御回路５は、第２モードにおいて、一の部分模様内に包摂される他の部分模様がある場合、当該他の部分模様の色を表すレイヤには大きい順番を付与し、外方で包摂する当該一の部分模様の色を表すレイヤには小さい順番を付与する。また、最も外側となる「周囲」のパーツの色を表すレイヤ５０Ｙには、最も小さい順番を付与する。本実施形態の部分模様Ａ，Ｂの輪郭線は、相互に包摂する関係にないことから、レイヤ５０Ｙに「０」，レイヤ５０Ｇに「１」，レイヤ５０Ｒに「２」を付与する。或いは、レイヤ５０Ｙに「０」，レイヤ５０Ｒに「１」，レイヤ５０Ｇに「２」を付与する（図７（ｂ），（ｃ）、図８（ｂ），（ｃ）参照）。
【００６２】
こうして、制御回路５は、レイヤ５０Ｒ〜５０Ｙにそれぞれ順番を決定すると共に、部分模様Ａ，Ｂの輪郭線を、当該部分模様の色を表すレイヤ５０Ｒ〜５０Ｙと対応付けて記憶する。以下では、レイヤ５０Ｙが基台レイヤ，レイヤ５０Ｇが第１レイヤ，レイヤ５０Ｒが第２レイヤに設定されると共に、部分模様Ａの輪郭線が第２レイヤ５０Ｒ、部分模様Ｂの輪郭線が第１レイヤ５０Ｇに対応するものとして説明する。
【００６３】
制御回路５は、決定された順番に応じて、レイヤ５０Ｒ〜５０Ｙ毎に切断線データを作成して割り当てる割当処理を行う。この場合、制御回路５は、初期設定において（ステップＳ３３）、レイヤ数Ｎから１だけデクリメントして（ｉ＝Ｎ−１）、カウンタｉを２にセットする（ｉ＝２）。つまり、第２モードでは、最も前側の第２レイヤ５０Ｒから割当処理を実行する。また、制御回路５は、抽出判定フラグをFalseに設定する。抽出判定フラグは、位置合せ線を抽出するか否かを示す情報である。制御回路５は、抽出判定フラグがFalseの場合、位置合せ線を抽出せず、抽出判定フラグがTrueの場合、位置合せ線を抽出する。なお、詳しくは後述するが、位置合せ線は、ミシン目状の切断線とされる。
【００６４】
次いで、制御回路５は、カウンタｉが２の第２レイヤ５０Ｒについて（ステップＳ３４にてＹＥＳ）、切断線データを作成するOutline（ｉ）を設定する（ステップＳ３５）。このステップＳ３５では、カウンタｉで特定されるレイヤの部分模様の輪郭線と、当該レイヤの前に重なるレイヤ（ｉ＋１）の部分模様の輪郭線を合成する。もっとも、第２レイヤ５０Ｒの前に重なるレイヤがないため、第２レイヤ５０Ｒに対応付けた部分模様Ａの輪郭線がOutline（ｉ）として設定する（ステップＳ３５）。こうして、制御回路５は、Outline（ｉ）として設定した部分模様Ａの各頂点Ｐ０〜Ｐ１４の座標データに基づいて、部分模様Ａの輪郭線の切断線データを作成する（ステップＳ３６、図４（ａ）、図５（ｂ）参照）。
【００６５】
この後のステップＳ３７では、第２レイヤ５０Ｒに関して、図１２の位置合せデータ抽出処理が実行される。もっとも、カウンタｉが「２」のとき、つまり最も前側の第２レイヤ５０Ｒについて、制御回路５は、ステップＳ４１の初期設定を経て、ステップＳ４２でＹＥＳと判断し、ステップＳ４３で抽出判定フラグをTrueに設定してステップＳ３８へリターンする。従って、最も前側の第２レイヤ５０Ｒについて、位置合せ線のデータは作成されない。
【００６６】
制御回路５は、第２レイヤ５０Ｒについて作成した部分模様Ａの輪郭線の切断線データを、順番「２」と対応付けてＲＡＭ７に記憶する（ステップＳ３８）。更に、制御回路５は、カウンタｉを１だけデクリメントすることで（ステップＳ３９）、第１レイヤ５０Ｇを対象として、前記ステップＳ３４〜Ｓ３９を実行する。
【００６７】
この場合、制御回路５は、カウンタｉが１であることから（ステップＳ３４にてＹＥＳ）、その第１レイヤ５０Ｇと対応付けた部分模様Ｂの輪郭線と、Outline（ｉ＋１）として設定した部分模様Ａの輪郭線とを合成する（ステップＳ３５）。これにより、制御回路５は、Outline（ｉ）を１つの部分模様Ｃの輪郭線を表すベクトルデータの集合として設定する。制御回路５は、Outline（ｉ）として設定した部分模様Ｃの各頂点Ｐ０〜Ｐ２２の座標データに基づいて、頂点Ｐ０を切断開始点及び切断終了点Ｐ２２とする部分模様Ｃの輪郭線の切断線データを作成する（図４（ｃ）、図５（ｂ）参照）。そして、制御回路５は、第１レイヤ５０Ｇに対して、図１２の位置合せデータ抽出処理を実行する（ステップＳ３７）。
【００６８】
位置合せデータ抽出処理の初期設定において（ステップＳ４１）、制御回路５は、対象カウンタｊを、レイヤ数Ｎから１だけデクリメントして（ｊ＝Ｎ−１）、２にセットする。つまり、カウンタｉが１の第１レイヤ５０Ｇに対して、位置合せ可能な部分模様があるか否かを、最も前側の第２レイヤ（ｊ＝２）から対象として処理する。また、制御回路５は、抽出する位置合せ線のデータ（ベクトルデータ）が記憶されるＲＡＭ７のデータバッファを初期化する。本実施形態では、位置合せ線のベクトルデータが記憶されるＲＡＭ７の記憶領域をデータバッファと称する。
【００６９】
制御回路５は、カウンタｉが２でない場合（ステップＳ４２にてＮＯ）、つまり最も前側の第２レイヤ５０Ｒではないことを条件に、位置合せ線を設定する。また、制御回路５は、カウンタｉの値が１であることから、対象カウンタｊの値「２」と一致しないと判断する（ステップＳ４４にてＮＯ）。更に、抽出判定フラグがTrueに設定されている（ステップＳ４５にてＹＥＳ）。このとき、制御回路５は、第１レイヤ５０ＧのOutline（ｉ）として設定されている部分模様Ｃの輪郭線の内方に、第２レイヤ５０ＲのOutline（ｊ）としての部分模様Ａの輪郭線の全部を含むか否かを判断する（ステップＳ４６）。ここで、部分模様Ｃの輪郭線の内方に、部分模様Ａの輪郭線の全部が含まれないことから（ＮＯ）、制御回路５は、部分模様Ｃの輪郭線と部分模様Ａの輪郭線との接触部分があるか否かを判断する（ステップＳ４９）。
【００７０】
この場合、部分模様Ｃの輪郭線と部分模様Ａの輪郭線とは、「花びら」の部分で重なり接触する（ＹＥＳ、図４（ｄ）参照）。そこで、制御回路５は、部分模様Ｃの輪郭線と部分模様Ａの輪郭線との非接触部分である、線分Ｃ２３，Ｃ２４を位置合せ線５４（前述のミシン目状の切断線５４）として抽出し、データバッファに記憶する（ステップＳ５０）。その後、制御回路５は、ステップＳ４８で対象カウンタｊから１だけデクリメントして（ｊ＝ｊ−１）、ステップＳ４４にリターンする。これにより、対象カウンタｊの値は、カウンタｉの値と同じ１になり、ステップＳ４４でＹＥＳと判断して、ステップＳ５１へ移行する。
【００７１】
制御回路５は、データバッファを照合して抽出した位置合せ線５４があると判断した場合（ステップＳ５１にてＹＥＳ）、その位置合せ線５４の座標データに基づいて、点Ｐ２３〜Ｐ２５にわたる切断線データを作成する（図４（ｄ）、図５（ｂ）参照）。また、制御回路５は、位置合せ線５４の切断線データに属性フラグを付し、ミシン目状の切断線であることを特定して、図１１のステップＳ３８にリターンする。
こうして、制御回路５は、第１レイヤ５０Ｇに対して作成した部分模様Ｃの輪郭線と位置合せ線５４との各切断線データを、順番「１」と対応付けてＲＡＭ７に記憶する（ステップＳ３８）。更に、制御回路５は、カウンタｉを１だけデクリメントすることで（ステップＳ３９）、基台レイヤ５０Ｙを対象として、前記ステップＳ３４〜Ｓ３９を実行する。
【００７２】
ここで、基台レイヤ５０Ｙは、部分模様のない「周囲」のパーツである。従って、制御回路５は、カウンタｉが０と判断したとき（ステップＳ３４にてＹＥＳ）、部分模様Ｃ（Outline（ｉ＋１））と合成しても、切断線データを作成しない（ステップＳ３５、Ｓ３６）。一方、ステップＳ３７の位置合せデータ抽出処理において（図１２参照）、基台レイヤ５０Ｙには、位置合せ線の切断線データが作成される。
【００７３】
即ち、位置合せデータ抽出処理において、制御回路５は、対象カウンタｊを２にセットし（ｊ＝Ｎ−１）、データバッファを初期化する（ステップＳ４１）。次いで、制御回路５は、カウンタｉの値について２ではなく且つ対象カウンタｊの値と一致せず（ステップＳ４２にてＮＯ且つＳ４４にてＮＯ）、抽出判定フラグがTrueに設定されていると判断する（ステップＳ４５にてＹＥＳ）。
【００７４】
ここで、制御回路５は、基台レイヤ５０ＹのOutline（ｉ）つまり枠線４１の内方に、最も前側の第２レイヤ５０ＲのOutline（ｊ）（部分模様Ａの輪郭線）の全部を含むか否かを判断する（ステップＳ４６）。ここで、枠線４１の内方に部分模様Ａの輪郭線の全部を含むことから（ＹＥＳ）、制御回路５は、部分模様Ａの輪郭線を位置合せ線として抽出し、データバッファに記憶する（ステップＳ４７）。その後、制御回路５は、ステップＳ４８で対象カウンタｊを１だけデクリメントした１として（ｊ＝１）、ステップＳ４４にリターンする。
【００７５】
この場合、対象カウンタｊの値はカウンタｉの値と一致せず、抽出判定に係る要件を満たす（ステップＳ４４にてＮＯ、Ｓ４５にてＹＥＳ）。そこで、制御回路５は、基台レイヤ５０Ｙの枠線４１の内方に、第１レイヤ５０ＧのOutline（ｊ）（部分模様Ｃの輪郭線）の全部を含むか否かを判断する（ステップＳ４６）。ここで、枠線４１の内方に部分模様Ｃの輪郭線の全部を含むことから（ＹＥＳ）、制御回路５は、部分模様Ｃの輪郭線を位置合せ線５３として抽出し、先に抽出された部分模様Ａの輪郭線（位置合せ線）と合成してデータバッファに記憶する（ステップＳ４７）。このときの位置合せ線の合成は、前側の部分模様Ａが後側の部分模様Ｃからはみ出さない関係にあるため、部分模様Ｃの位置合せ線５３（前述のミシン目状の切断線５３）だけ残るように処理される。従って、データバッファのデータは、部分模様Ｃの位置合せ線５３のデータで書き換えることにより更新される。
【００７６】
その後、制御回路５は、ステップＳ４８で対象カウンタｊを１だけデクリメントした０として（ｊ＝０）、ステップＳ４４にリターンし、対象カウンタｊの値が、カウンタｉの値と同じ０と判断して（ステップＳ４４にてＹＥＳ）、ステップＳ５１へ移行する。そして、制御回路５は、データバッファに記憶されている位置合せ線５３に基づいて（ステップＳ５１にてＹＥＳ）、部分模様Ｃの切断線データを作成する（図４（ｃ）、図５（ｂ）参照）。また、制御回路５は、位置合せ線５３の切断線データに属性フラグを付し、ミシン目状の切断線であることを特定して、図１１のステップＳ３８にリターンする。
【００７７】
こうして、制御回路５は、基台レイヤ５０Ｙに対して作成した部分模様Ｃの位置合せ線５３の切断線データを、順番「０」と対応付けてＲＡＭ７に記憶する（ステップＳ３８）。その後、制御回路５は、カウンタｉを１だけデクリメントすることで（ステップＳ３９）、全てのレイヤ５０Ｒ〜５０Ｙの処理を終えたと判断する（ステップＳ３４にてＮＯ）。この場合、制御回路５は、順番「０」〜「２」のレイヤ５０Ｒ〜５０Ｙに対応付けられた切断線データに、前述した終了コードや、表示用のデータ等を付加して、第２切断データの作成処理を終了する（エンド）。
【００７８】
前記ステップＳ３３〜Ｓ３９の実行によって、第１レイヤ５０Ｇに部分模様Ａ及び部分模様Ｂを合成した部分模様Ｃの輪郭線（少なくとも部分模様Ａ，Ｂの一方の輪郭線でもよい）を設定し、第２レイヤ５０Ｙに部分模様Ａ又は部分模様Ｂの輪郭線を設定する条件は、全体模様Ｍを凸状に表すための第２条件とされている。従って、第２条件の下で作成した前記表示用のデータは、各レイヤ５０Ｒ〜５０Ｙを利用して、全体模様Ｍを凸状に表すことができる。即ち、図８（ｂ）に示すように第１レイヤ５０Ｇについて部分模様Ｃの輪郭を有する緑色の画像レイヤ５０Ｇと、第２レイヤ５０Ｒについて部分模様Ａの輪郭を有する赤色の画像レイヤ５０Ｒを生成する。そして、黄色の画像レイヤ５０Ｙの前側に緑色の画像レイヤ５０Ｇを重ね、その画像レイヤ５０Ｇの前側に赤色の画像レイヤ５０Ｒを重ねる（図８（ａ）参照）。これにより、最も後側となる黄色の画像レイヤ５０Ｙに対して、赤色と緑色の部分模様Ａ，Ｃを前側の画像レイヤ５０Ｒ、５０Ｇで表して全体模様Ｍが凸状となる。
【００７９】
更に、切断データ作成装置１側で作成した第２切断データを、切断装置１１側で受信して、第２切断データに基づき切断動作を実行させることができる。この場合、切断装置１１において、第２切断データの「０」、「１」、「２」の順番データに従い、黄色のシート２０Ｙ、緑色のシート２０Ｇ、赤色のシート２０Ｒに対する切断を行うことができる。これにより、図３（ｃ）に示すように、基台シート２０Ｙの位置合せ線５３に合わせて第１シート２０Ｇを重ね、その第１シート２０Ｇの位置合せ線５４に合わせてシート２０Ｒを重ねれば、異なる形状の部分模様Ａ，Ｃが組み合わさった「花」の全体模様Ｍを凸状に表す装飾物５２を作製することができる。
【００８０】
上記した複数のシート２０は、基台シート２０を含めて３枚であったが、４枚以上にしてもよい。この場合でも、切断データ作成プログラムの実行により、前記第１条件或いは第２条件に従い、各シート２０について全体模様Ｍを凹状とする第１切断データ或いは全体模様Ｍを凸状とする第２切断データを作成することができる。特に、本実施形態にあっては、第１条件或いは第２条件の下、各シートを重ねる順番に応じて順次部分模様の輪郭線や位置合せ線を合成するステップ（Ｓ２１、Ｓ３５、Ｓ４７、Ｓ５０の何れかの行程）を経る。このため、複数のシート２０を重ねれば全体模様Ｍを凹状又は凸状に表すことができる切断データの作成が可能となる。
【００８１】
以上説明したように、本実施形態の切断データ作成方法は、複数のシート２０を重ねる順番を決定する順番決定工程（ステップＳ１３、Ｓ３２）と、部分模様の輪郭線を、順番決定工程で順番が決定されたシート２０毎に設定する輪郭線設定工程（ステップＳ１３、Ｓ２１、Ｓ３２、Ｓ３５）と、輪郭線設定工程によりシート２０毎に設定された部分模様の輪郭線に基づいて、切断データを作成する切断データ作成工程（ステップＳ１６、Ｓ２０、Ｓ３６、Ｓ３８）とを備える。
【００８２】
これによれば、順番決定工程で、複数のシート２０を重ねる順番が決定され、輪郭線設定工程で、前記順番が決定されたシート２０毎に、部分模様の輪郭線が設定される。これにより、複数のシート２０について、重ねる順番に応じて設定された部分模様の輪郭線を切断する切断データを作成することができる。このため、作成した切断データに基づき複数のシート２０を切断し、それらのシート２０を重ねれば、複数の部分模様が組み合わさった全体模様Ｍを表す装飾物５１，５２を作製することができる。
【００８３】
また、切断データ作成装置１の制御回路５は、複数のシート２０に対応する複数のレイヤ５０を重ねる順番を決定する順番決定手段、部分模様の輪郭線を順番決定手段で順番が決定されたレイヤ５０毎に設定する輪郭線設定手段、及び輪郭線設定手段によりレイヤ５０毎に設定された部分模様の輪郭線に基づいて複数のシート２０に対応する切断データを作成する切断データ作成手段として構成されている。
【００８４】
これによれば、順番決定手段で複数のシート２０に対応する複数のレイヤ５０を重ねる決定され、輪郭線設定手段で、前記順番が決定されたレイヤ５０毎に、部分模様の輪郭線が設定される。これにより、複数のシート２０について、対応するレイヤ５０の重ねる順番に応じて設定された部分模様の輪郭線を切断する切断データを作成することができる。このため、作成した切断データに基づき複数のシート２０を切断し、それらのシート２０を重ねれば、複数の部分模様が組み合わさった全体模様Ｍを表す装飾物５１，５２を作製することができる。
【００８５】
前記切断データ作成方法は、複数のシート２０（レイヤ５０）を重ねたときに最も前側となるシート２０に対して、部分模様が後方へ凹となり全体模様Ｍを凹状とする第１モードと、複数のシート２０を重ねたときに最も後側となるシート２０に対して、部分模様が前方へ凸となり全体模様Ｍを凸状とする第２モードと、の一方を選択する選択工程（ステップＳ５）を備える。また、制御回路５、ディスプレイ３、及び入力部４は、第１モードと第２モードとの一方の選択指令が入力される入力手段として構成されている。
【００８６】
これによれば、選択行程（入力手段）で、第１モードと第２モードとの一方を選択することにより、装飾物５１，５２の全体模様Ｍを凸状するか凹状とするかを任意に選択することができ、ユーザの所望する態様の装飾物５１，５２が得られる切断データを作成することができる。
【００８７】
前記輪郭線設定工程（輪郭線設定手段）は、選択工程（選択手段）で第１モードが選択されたときには、凹状の全体模様Ｍで表すための所定の第１条件に基づいて、シート２０（レイヤ５０）毎に部分模様の輪郭線を設定し、選択工程で第２モードが選択されたときには、凸状の全体模様Ｍで表すための所定の第２条件に基づいて、シート２０毎の部分模様の輪郭線を設定する。
【００８８】
これによれば、第１モードを選択することで、所定の第１条件に基づいて、シート２０に毎に部分模様の輪郭線が設定されるため、凹状の全体模様Ｍに適う切断データを作成することができる。また、第２モードを選択することで、所定の第２条件に基づいて、シート２０毎に部分模様の輪郭線が設定されるため、凸状の全体模様Ｍに適う切断データを作成することができる。
【００８９】
前記順番決定工程（順番決定手段）は、基台シート２０（基台レイヤ５０）の前側に第１シート２０（第１レイヤ５０）を重ね、且つ第１シート２０の前側に第２シート２０（第２レイヤ５０）を重ねるように順番を決定し、第１条件は、第１シート２０に第１部分模様Ａ又は第２部分模様Ｂの輪郭線を設定し、第２シート２０に第１部分模様Ａ及び第２部分模様Ｂの両方の輪郭線を設定する条件を含む。
【００９０】
これによれば、第１条件では、前側の第２シート２０に第１部分模様Ａ及び第２部分模様Ｂの両方の輪郭線が設定され、後側の第１シート２０に第１部分模様Ａ又は第２部分模様Ｂの輪郭線が設定される。このため、基台シート２０の前側に、第１シート２０と第２シート２０とを順次重ねれば、全体模様Ｍを凹状とするように部分模様が組み合わさる切断データを作成することができる。
【００９１】
前記複数のシート２０（レイヤ５０）に対して、シート２０毎に全体模様Ｍを包含する同じ形状の枠線４１を設定する枠線設定行程（ステップＳ１７、枠線設定手段としての制御回路２５）を備え、切断データ作成工程において、シート２０毎に設定された枠線４１を切断する切断データを更に作成する。
これによれば、各シート２０について、同じ外縁となる枠線４１が設定される。このため、複数のシート２０を外縁が揃うように重ねると、シート２０相互間で部分模様のずれがなく、見栄えのよい装飾物５１とすることができる。
【００９２】
前記シート２０（レイヤ５０）毎に、当該シート２０の向きを特定可能な合印４２を設定する合印設定工程（ステップＳ１８、合印設定手段としての制御回路５）を備え、切断データ作成工程において、シート２０毎に設定された合印４２を切断する切断データを更に作成する。これによれば、複数のシート２０を重ねるときに、各シート２０相互間で合印４２を合わせれば、シート２０の向きを間違えることなく容易に装飾物５１を作製することができる。
【００９３】
前記順番決定工程（順番決定手段）は、基台シート２０（基台レイヤ５０）の前側に第１シート２０（第１レイヤ５０）を重ね、且つ第１シート２０の前側に第２シート２０（第２レイヤ５０）を重ねるように順番を決定し、第２条件は、第１シート２０に第１部分模様Ａ及び第２部分模様Ｂの少なくとも一方の輪郭線を設定し、第２シート２０に第１部分模様Ａ又は第２部分模様Ｂの輪郭線を設定する条件を含む。
【００９４】
これによれば、第２条件では、後側の第１シート２０に第１部分模様Ａ及び第２部分模様Ｂの少なくとも一方の輪郭線が設定され、前側の第２シート２０に第１部分模様Ａ又は第２部分模様Ｂの輪郭線が設定される。このため、基台シート２０の前側に第１シート２０と第２シート２０を順次重ねれば、全体模様Ｍを凸状とするように部分模様が組み合わさる切断データを作成することができる。
【００９５】
前記輪郭線設定工程（輪郭線設定手段）において、基台シート２０（基台レイヤ５０）に第１部分模様Ａ及び第２部分模様Ｂの少なくとも一方の輪郭線を設定し、切断データ作成工程（切断データ作成手段）において、輪郭線設定工程で設定された基台シート２０の第１部分模様Ａ及び第２部分模様Ｂの少なくとも一方の輪郭線について、ミシン目状の切断線５３となる切断データを作成する。
【００９６】
これによれば、基台シート２０に形成されるミシン目状の切断線５３は、例えば第１部分模様Ａ及び第２部分模様Ｂの少なくとも一方の輪郭線に沿って切断された第１シート２０の位置合せの目印となる。従って、基台シート２０のミシン目状の切断線５３に、第１シート２０の外縁を合わせるようにして正確かつ容易に位置合せを行うことができる。なお、図示は省略するが、ミシン目状の切断線５３に代えて、基台シート２０の第１部分模様Ａ及び第２部分模様Ｂの少なくとも一方の輪郭線について、少なくともその一部を切断する切断線の切断データを作成してもよい。当該一方の輪郭線の一部を切断した切断線でも、第１シート２０の位置合せの目印となる。
【００９７】
前記切断データ作成工程（切断データ作成手段）において、輪郭線設定工程（輪郭線設定手段）で設定された第１シート２０（第１レイヤ５０）の第１部分模様Ａ及び第２部分模様Ｂが相互に隣り合う場合、第１部分模様Ａ及び第２部分模様Ｂの境界線Ｃ２３，Ｃ２４について、ミシン目状の切断線５４となる切断データを作成する。
【００９８】
これによれば、第１シート２０に形成されるミシン目状の切断線５４は、第１部分模様Ａ又は第２部分模様Ｂの少なくとも一方の輪郭線に沿って切断された第２シート２０の位置合せの目印となる。従って、第１シート２０のミシン目状の切断線５４に、第２シート２０の外縁を合わせるようにして正確かつ容易に位置合せを行うことができる。なお、図示は省略するが、ミシン目状の切断線５４に代えて、第１部分模様Ａ及び第２部分模様Ｂの境界線Ｃ２３，Ｃ２４について、少なくともその一部を切断する切断線の切断データを作成してもよい。当該境界線Ｃ２３，Ｃ２４の一部を切断した切断線でも、第２シート２０の位置合せの目印となる。
【００９９】
また、本実施形態の切断装置１１は、第１切断データと第２切断データとを含む切断データを取得する取得手段（制御回路２５、通信部１１１ｂ）と、この取得手段で取得された切断データのうち、第１切断データと第２切断データの一方の切断データを選択する選択指令が入力される入力手段（制御回路２５、操作スイッチ１６ｂ）と、この入力手段により入力された一方の切断データに基づいて、シート２０毎に部分模様の輪郭線に沿って切断を行うように前記切断手段を制御する制御手段（制御回路２５）とを備える。
【０１００】
これによれば、選択した切断データに基づいて制御手段により切断手段を制御することで、部分模様の輪郭線の切断を自動的に行うことができる。また、第１切断データを選択することで全体模様Ｍが凹状となる装飾物５１の各シート２０と、第２切断データを選択することで全体模様Ｍが凸状となる装飾物５２の各シート２０とを容易に作製することができる。
【０１０１】
＜第２実施形態＞
図１３、図１４は、本発明の第２実施形態を示すものであり、第１実施形態と同一部分には同一符号を付し、第１実施形態と異なるところを説明する。同図に示すように、本第２実施形態の枠線４３は、例えば６角形の輪郭線で構成されている。切断データ作成プログラムでは、予め枠線４３を特定する座標データ等を含ませ、或いはユーザにより好みの枠線４３として設定することができる。
【０１０２】
即ち、前記第１データ作成処理のステップＳ１２では（図１０参照）、制御回路５により、ディスプレイ３に、６角形の枠線４３や４角形の枠線４１を含む複数種類の枠線を選択する枠線選択画面（図示略）を表示させる。なお、前記枠線は、円、楕円等の曲線であってもよいし、直線と曲線の両方からなる枠線であってもよい。このとき、ユーザが枠線選択画面を見ながらマウス４ｂ等を操作して枠線４３を選択すると、制御回路５は、各レイヤ５０Ｒ〜５０Ｙの枠線４３として設定する。このように、制御回路５は、マウス４ｂ等の入力部４及びディスプレイ３と共に枠線設定手段を構成する。
【０１０３】
これにより、前記ステップＳ１７では、レイヤ５０Ｒ〜５０Ｙ毎に設定した枠線４３の各頂点Ｐ０〜Ｐ６の座標データに基づいて、各シート２０Ｒ〜２０Ｙに対応する切断線データを作成する。作成された切断線データは、図１３（ｂ）に示す切断開始点Ｐ０、頂点Ｐ１、頂点Ｐ２、…、切断終了点Ｐ６の夫々に対応するフィードデータ、第１座標データ、第２座標データ、…、第６座標データを有する。
【０１０４】
こうして、第１データ作成処理により作成された第１切断データは、図１３（ｂ）のレイヤ５０Ｒ〜５０Ｙに対応するシート２０Ｒ〜２０Ｙについて、枠線４３に沿って切り抜くことができる切断線データを含む。従って、本第２実施形態においても、全てのシート２０Ｒ〜２０Ｙについて、同じ外縁となる枠線４３を設定することができる。よって、切断したシート２０Ｒ〜２０Ｙを外縁が揃うように重ねるだけで（図１３（ａ）参照）、シート２０相互間で部分模様のずれがなく、見栄えのよい装飾物５１の作製が可能となる等、第１実施形態と同様の効果を奏する。
【０１０５】
一方、図１３（ｃ）に示すように、基台レイヤ５０Ｒに対してミシン目状の切断線となる枠線４３を設定してもよい。この場合、前記枠線選択画面で基台シート２０Ｒのみ枠線４３を外す設定を行う。これにより、前記ステップＳ１７では、レイヤ５０Ｒ〜５０Ｙ毎に設定した枠線４３の座標データに基づいて、各シート２０Ｒ〜２０Ｙに対応する切断線データが作成され、そのうち基台シート２０Ｒの切断線データには、枠線４３をミシン目状とする属性フラグが付される。
【０１０６】
それ故、基台シート２０Ｒの外縁が、他のシート２０Ｇ，２０Ｙと揃わなくても、基台シート２０Ｒに対する第１シート２０Ｇの位置合せを、ミシン目状の枠線４３を利用して行うことができる。
【０１０７】
前記第２データ作成処理（図１１参照）では、例えばステップＳ３１の後に、枠線を設定する処理を追加して実行する。この場合、上記した第１データ作成処理と同様、枠線選択画面を表示して任意に枠線４３を選択するものとする。これにより、基台レイヤ５０Ｙに対して、前記ステップＳ３７で作成する部分模様Ｃの位置合せ線５３の切断線データと併せて、枠線４３の切断線データを作成する。これにより、作成された第２切断データは、図１４（ｂ）のレイヤ５０Ｒ〜５０Ｙで縦に並べて示すように、対応する基台シート２０Ｙについて、枠線４３に沿って切り抜くことができる切断線データを含む。よって、図３（ｂ）の装飾物５２に限らず、基台シート２０Ｙの枠線を異ならせた種々の装飾物５２（図１４（ａ）参照）を作製することができる。
【０１０８】
本発明は、上記した実施形態にのみ限定されるものではなく、次のように変形または拡張できる。
本実施形態の切断データ作成プログラムでは、図柄画像データから色情報を抽出したが、色情報を取得することなく第１切断データと第２切断データとを作成してもよい。この場合でも、制御回路５は、図柄画像データから抽出される輪郭線のベクトルデータと、所定の第１条件或いは第２条件に基づいて、シート（レイヤ）毎に部分模様の輪郭線を設定することができる。
【０１０９】
前記合印は、図３（ｂ）のレイヤ５０Ｒ〜５０Ｙの角部における丸穴の合印４２に限らず、対応するシート２０Ｒ〜２０Ｙの向きを特定可能であればよい。例えば、レイヤ５０Ｒ〜５０Ｙの周縁部における別の位置に合印を配置してもよいし、直線状等、種々の形状や大きさに変更することができる。また、切断装置１１におけるカッタカートリッジ１４に代えて図示しないペンカートリッジをカートリッジホルダ１５ａに装着し、ペンカートリッジによって、合印をシート２０Ｒ〜２０Ｙに印刷してもよい。同様に、位置合せ線であるミシン目状の切断線５３，５４についても、カッタカートリッジ１４のカッタで切断することなく、ペンカートリッジによってシート２０Ｒ〜２０Ｙに印刷してもよい。
【０１１０】
切断装置は、上記した切断装置１１に限らず、切断機能を有する各種の装置で構成してもよい。
前記切断データ作成プログラムを記録した記録媒体は、ＥＥＰＲＯＭ８等に限定されるものではなく、ＵＳＢメモリ、ＣＤ−ＲＯＭ、フレキシブルディスク、ＤＶＤ、メモリカード等の各種の記録媒体であってもよい。この場合、その記録媒体のプログラムを、種々のデータ処理装置のコンピュータにより読み込んで実行させることにより、上記実施形態と同様の作用及び効果を奏する。
【符号の説明】
【０１１１】
１    切断データ作成装置
３    ディスプレイ（入力手段、枠線設定手段）
４    入力部（入力手段、枠線設定手段）
５    制御手段（入力手段、順番決定手段、輪郭線設定手段、切断データ作成手段、枠線設定手段、合印設定手段）
１１  切断装置
１６ｂ  入力手段
２０  シート（基台シート、第１シート、第２シート）
２５  制御手段（入力手段、取得手段）
４１  枠線
４２  合印
５０  レイヤ（基台レイヤ、第１レイヤ、第２レイヤ）
５１，５２  装飾物
１１１ｂ  取得手段
Ａ，Ｂ，Ｃ  部分模様
Ｃ２３，Ｃ２４  境界線
Ｍ    全体模様
【図１】
2016068175.tif 000003
【図２】
2016068175.tif 000004
【図３】
2016068175.tif 000005
【図４】
2016068175.tif 000006
【図５】
2016068175.tif 000007
【図６】
2016068175.tif 000008
【図７】
2016068175.tif 000009
【図８】
2016068175.tif 000010
【図９】
2016068175.tif 000011
【図１０】
2016068175.tif 000012
【図１１】
2016068175.tif 000013
【図１２】
2016068175.tif 000014
【図１３】
2016068175.tif 000015
【図１４】
2016068175.tif 000016